(57)【要約】【課題】結像部材の位置調整、走査線の調整を精度良く行うことが可能な光学走査装置を提供することを目的とする。また、精度良く結像部材を取り付けることが可能な光学走査装置の結像部材の取り付け方法を提供する。【解決手段】半導体レーザ装置６１、回転多面鏡６３、結像レンズ６４ｂ、及びこれら、収容し、結像レンズ６４ｂが突き当てられる座面６７ｂが内側面に形成されている光学箱６０を有し、結像レンズ６４ｂの位置を調整可能に構成されている光学走査装置において、結像レンズ６４ｂには、副走査方向の両端面にそれぞれ突出部６６ａが形成されており、突出部６６ａはそれぞれレーザ光の光軸方向の同じ位置に形成されており、かつ突出部６６ａは、結像レンズ６４ｂの中心部よりも座面６７ｂに近い方に形成されており、突出部６６ａを介して結像レンズ６４ｂの位置が調整可能に構成されている。【選択図】図３
2010156812.tif 000002
【特許請求の範囲】
【請求項１】
画像情報に応じてレーザ光を射出するレーザ光源装置と、
前記レーザ光源装置から射出されたレーザ光を像担持体上に走査する偏向部材と、
前記偏向部材によって偏向されたレーザ光を像担持体上に結像する結像部材と、
前記レーザ光源装置、前記偏向部材、前記結像部材を収容し、前記結像部材が突き当てられる座面が内側面に形成されている光学箱と、
を有し、
前記結像部材を前記座面に突き当てた状態で、前記結像部材を前記座面に平行な面内で移動させることで、前記レーザ光の光軸に対する前記結像部材の位置を調整可能に構成されている光学走査装置において、
前記結像部材には、副走査方向の両端面にそれぞれ突出部が形成されており、
前記両端面に形成されている突出部はそれぞれ前記レーザ光の光軸方向の同じ位置に形成されており、
かつ前記突出部は、前記結像部材の中心部よりも前記座面に近い方に形成されており、
前記突出部を介して前記結像部材の位置が調整可能に構成されていることを特徴とする光学走査装置。
【請求項２】
前記突出部は、
前記結像部材の副走査方向の両端面において、前記副走査方向と直交する主走査方向にわたって、ぞれぞれの端面内に形成されていることを特徴とする請求項１に記載の光学走査装置。
【請求項３】
画像情報に応じてレーザ光を射出するレーザ光源装置と、
前記レーザ光源装置から射出されたレーザ光を像担持体上に走査する偏向部材と、
前記偏向部材によって偏向されたレーザ光を像担持体上に結像する結像部材と、
前記レーザ光源装置、前記偏向部材、前記結像部材を収容し、前記結像部材が突き当てられる座面が内側面に形成されている光学箱と、
を有し、
前記結像部材を前記座面に突き当てた状態で、調整器具を用いて前記結像部材を前記座面に平行な面内で移動させて前記結像部材を取り付ける光学走査装置の結像部材の取り付け方法において、
前記結像部材には、副走査方向の両端面にそれぞれ突出部が形成されており、
前記両端面に形成されている突出部はそれぞれ前記レーザ光の光軸方向の同じ位置に形成されており、
かつ前記突出部は、前記結像部材の中心部よりも前記座面に近い方に形成されており、
前記結像部材を前記座面に突き当て、
前記結像部材を前記座面に突き当てた状態で、前記調整器具を前記突出部に当接させて前記結像部材を移動させ、
前記結像部材を移動させた後に、前記結像部材を前記光学箱に固定する、
ことを特徴とする光学走査装置の結像部材の取り付け方法。
【請求項４】
前記突出部は、
前記結像部材の副走査方向の両端面において、前記副走査方向と直交する主走査方向にわたって、ぞれぞれの端面内に形成されていることを特徴とする請求項３に記載の光学走査装置の結像部材の取り付け方法。
【発明の詳細な説明】
【技術分野】
【０００１】
本発明は、レーザ光を像担持体上に走査する光学走査装置において特に結像部材の位置が調整可能に構成されている光学走査装置、及び光学走査装置の結像部材の取り付け方法に関する。
【背景技術】
【０００２】
従来、電子写真方式の画像形成装置には、像担持体上にレーザ光を射出し、像担持体上に対してレーザ光による偏向走査を行う光学走査装置が設けられている。そしてこのような光学走査装置として、レーザ光を射出するレーザ光源装置、射出されたレーザ光を偏向する偏向部材、偏向されたレーザ光を像担持体上に結像する結像部材、を備えた光学走査装置が一般的に知られている。
【０００３】
良好な画像品質を得るためには、レーザ光によって像担持体上を高精度に走査することが必要とされ、従来より、結像部材をレーザ光の光軸（射出方向）と直交する方向に移動させ、走査線の調整を行う光学走査装置が提案されている。
【０００４】
例えば特許文献１には、副走査方向の走査線位置の変化を微調整する走査線調整装置の構成が開示されている。図９に、この走査線調整装置の概略構成図を示す。
【０００５】
図９に示す走査線調整装置は、駆動モータ２２５、２２６を用いて長尺レンズ２０５（結像部材）を副走査方向に移動させ、副走査線位置、走査線の曲がり、走査線の傾きを調整する装置である。
【０００６】
特許文献１に開示されているように、特にカラー画像形成装置においては、走査線の曲がりや走査線の傾きが色ごとに違うと、色むら、色ずれといった画像品質の劣化を引き起こすことになる。よって、良好な画像品質を得るためには、走査線の曲がり、走査線の傾きを減少させる必要がある。
【０００７】
そこで特許文献１には、結像部材としての長尺レンズ２０５を移動させて位置調整を行うことで、走査線の曲がり、走査線の傾きを減少させる構成が開示されている。
【０００８】
具体的には、駆動モータ２２５、２２６を光学走査装置内に設け、これらの駆動モータを駆動させることで長尺レンズ２０５を副走査方向に移動させ、長尺レンズ２０５の位置調整を行うことで、走査線の調整を行っている。
【０００９】
また、特許文献１に開示されている走査線調整装置の他に、装置本体の外部に配置された組立用の工具によって装置本体内の結像部材を保持し、当該工具を用いて結像部材を移動させて走査線の調整を行う走査光学装置が開示されている（特許文献２）。
【特許文献１】特開２００７−１９９２４２号公報
【特許文献２】特開２００３−２５５２４５号公報
【発明の開示】
【発明が解決しようとする課題】
【００１０】
しかしながら上記従来の構成によって走査線の調整を行う際は、以下に示す問題を生じる。
【００１１】
特許文献１に開示された走査線調整装置において長尺レンズ２０５は、駆動モータ２２
５で制御されているアジャスタ２２８と、アジャスタ２２８と対向する位置にあるブラケット２２１に設けられた折曲部２２１ａ〜２２１ｃとで副走査方向に挟み込まれている。
【００１２】
また、ここで用いられる長尺レンズ２０５は、従来より知られている結像レンズ（結像部材）と同様のものである。
【００１３】
また、折曲部２２１ａ、アジャスタ２２８の先端形状は、「略楕円形の接触面Ａあるいは線接触する平板状のもの、または長尺レンズ２０５に対して点接触で接触するもの、例えば先端が球面をなす接触面のものを適宜選択する」と記載されている。
【００１４】
しかしながら、かかる構成によって長尺レンズ２０５の位置調整を行い、走査線を調整する場合、以下の課題を生じる。
【００１５】
図１０〜図１３は、従来の構成によって長尺レンズ２０５の位置調整を行う様子を示すものである。なお、ここでは、長尺レンズ２０５の断面において副走査方向（図中上下方向）の軸を含む断面の概略構成図を示しており、図中一点鎖線はレーザ光の光軸を示している。
【００１６】
従来の走査線調整装置では、ブラケット２２１とアジャスタ２２８は共に異なる部材で構成されているので、組立誤差等の要因により、両者がレーザ光の光軸方向にずれる可能性がある。図１０〜図１３では、両者がレーザ光の光軸方向にｔずれている場合を示している。
【００１７】
この場合、長尺レンズ２０５には板バネ２２２から受ける押圧力Ｆ１により、回転力Ｆ１ｓｉｎθが作用することになる（図１０）。その結果、図１１のように長尺レンズ２０５が回転し、光学走査装置のスポット性能が劣化し、画像品質の低下を招いてしまう。
【００１８】
なお、特許文献１では、走査線の調整を行う調整機構（アジャスタ２２８、ブラケット２２１等）が光学走査装置内に設けられているが、特許文献２に開示されているように工具によって結像レンズを保持し、位置調整を行う場合でも同様の課題が発生する。
【００１９】
つまり工具によって結像部材を副走査方向の両側から挟み込む場合も、工具の設計誤差、取り付け誤差等によって、結果的に結像部材に回転力が作用することになり、スポット性能の劣化、画像品質の低下を招いてしまう。
【００２０】
また、長尺レンズ２０５を光学箱の内側面に設けられた座面に突き当て、座面と平行な面内で長尺レンズ２０５を移動させて走査線の調整を行う場合（図１２、図１３）では、以下に示す課題を発生する。
【００２１】
図１２、図１３は、図１０、図１１に示す構成に加え、光学箱の内側面に座面２４０を設けた場合を示す概略構成図である。かかる構成によると、長尺レンズ２０５を座面２４０に突き当てることで、長尺レンズ２０５の光軸方向の位置決めを行うことができる。
【００２２】
図１２、図１３に示す構成では、アジャスタ２２８を図中矢印方向に移動させ、それに伴い長尺レンズ２０５を座面２４０に突き当てつつ、Ｆ２の力でアジャスタ２２８の移動方向へ移動させ、長尺レンズ２０５の位置調整、走査線の調整を行う。
【００２３】
しかしこの場合、長尺レンズ２０５は座面２４０に突き当たったまま移動することになるので、長尺レンズ２０５は座面２４０から静止摩擦係数μの摩擦力を受けることになる。
【００２４】
その結果、長尺レンズ２０５における折曲部２２１ａとの接触部には、Ｆ２ｓｉｎαの力が作用し、長尺レンズ２０５の端部２４１には、μ・Ｆ２ｃｏｓαｓｉｎαの力が作用することになる。そしてこれらの力が長尺レンズ２０５を回転させる回転力となる。
【００２５】
なお、この回転力は、折曲部２２１ａと長尺レンズ２０５とが接触する点と長尺レンズ２０５の端部２４１とを結ぶ線と、座面２４０との成す角度αが大きいほど大きくなる。
【００２６】
そして長尺レンズ２０５を移動させる際にこの回転力が働き、図１３に示すように座面２４０から長尺レンズ２０５が浮き上がってしまう。その結果、光学走査装置のスポット性能が劣化し、画像品質の低下を招いてしまう。
【００２７】
そこで本発明は、結像部材の位置調整、走査線の調整を精度良く行うことが可能な光学走査装置を提供することを目的とする。また、精度良く結像部材を取り付けることが可能な光学走査装置の結像部材の取り付け方法を提供することを目的とする。
【課題を解決するための手段】
【００２８】
上記目的を達成するために本発明にあっては、
画像情報に応じてレーザ光を射出するレーザ光源装置と、
前記レーザ光源装置から射出されたレーザ光を像担持体上に走査する偏向部材と、
前記偏向部材によって偏向されたレーザ光を像担持体上に結像する結像部材と、
前記レーザ光源装置、前記偏向部材、前記結像部材を収容し、前記結像部材が突き当てられる座面が内側面に形成されている光学箱と、
を有し、
前記結像部材を前記座面に突き当てた状態で、前記結像部材を前記座面に平行な面内で移動させることで、前記レーザ光の光軸に対する前記結像部材の位置を調整可能に構成されている光学走査装置において、
前記結像部材には、副走査方向の両端面にそれぞれ突出部が形成されており、
前記両端面に形成されている突出部はそれぞれ前記レーザ光の光軸方向の同じ位置に形成されており、
かつ前記突出部は、前記結像部材の中心部よりも前記座面に近い方に形成されており、
前記突出部を介して前記結像部材の位置が調整可能に構成されていることを特徴とする。
【００２９】
また、本発明にあっては、
画像情報に応じてレーザ光を射出するレーザ光源装置と、
前記レーザ光源装置から射出されたレーザ光を像担持体上に走査する偏向部材と、
前記偏向部材によって偏向されたレーザ光を像担持体上に結像する結像部材と、
前記レーザ光源装置、前記偏向部材、前記結像部材を収容し、前記結像部材が突き当てられる座面が内側面に形成されている光学箱と、
を有し、
前記結像部材を前記座面に突き当てた状態で、調整器具を用いて前記結像部材を前記座面に平行な面内で移動させて前記結像部材を取り付ける光学走査装置の結像部材の取り付け方法において、
前記結像部材には、副走査方向の両端面にそれぞれ突出部が形成されており、
前記両端面に形成されている突出部はそれぞれ前記レーザ光の光軸方向の同じ位置に形成されており、
かつ前記突出部は、前記結像部材の中心部よりも前記座面に近い方に形成されており、
前記結像部材を前記座面に突き当て、
前記結像部材を前記座面に突き当てた状態で、前記調整器具を前記突出部に当接させて
前記結像部材を移動させ、
前記結像部材を移動させた後に、前記結像部材を前記光学箱に固定する、
ことを特徴とする。
【発明の効果】
【００３０】
以上説明したように、本発明によれば、結像部材の位置調整、走査線の調整を精度良く行うことが可能な光学走査装置を提供することが可能になる。また、精度良く結像部材を取り付けることが可能な光学走査装置の結像部材の取り付け方法を提供することが可能になる。
【発明を実施するための最良の形態】
【００３１】
以下に図面を参照して、この発明を実施するための最良の形態を、実施の形態に基づいて例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３２】
［実施の形態］
図１〜図８を参照して、本発明を適用可能な実施の形態に係る光学走査装置及び光学走査装置の結像部材の取り付け方法について説明を行う。
【００３３】
（画像形成装置の概略構成）
図１に本実施の形態に係る光学走査装置が適用可能な画像形成装置の概略構成図を示す。本実施の形態に係る光学走査装置は、例えば電子写真方式のフルカラー画像形成装置に適用することができる。
【００３４】
画像形成装置は、本実施の形態に係る光学走査装置５１Ｙ、５１Ｍ、５１Ｃ、５１Ｂｋを有している（光学走査装置５１については後に詳細に説明する）。なお、Ｙ、Ｍ、Ｃ、Ｂｋは、対応するトナーの色を示しており、Ｙはイエロー、Ｍはマゼンタ、Ｃはシアン、Ｂｋはブラックを表すものとする。
【００３５】
それぞれの光学走査装置５１に対向する位置には、像担持体として回転可能な感光体ドラム１Ｙ、１Ｍ、１Ｃ、１Ｂｋが等ピッチ間隔で配置されている。
【００３６】
シート材Ｐに画像を形成する際は、まず画像情報に基づいて各々光変調されたレーザ光ＬＹ、ＬＭ、ＬＣ、ＬＢｋが光学走査装置５１Ｙ、５１Ｍ、５１Ｃ、５１Ｂｋから射出され、各々対応する感光体ドラム１Ｙ、１Ｍ、１Ｃ、１Ｂｋの表面に照射される。
【００３７】
感光体ドラム１Ｙ、１Ｍ、１Ｃ、１Ｂｋの表面は、予め１次帯電器２Ｙ、２Ｍ、２Ｃ、２Ｂｋによって一様に帯電されており、そこにレーザ光が走査されることで、感光体ドラム１Ｙ、１Ｍ、１Ｃ、１Ｂｋには走査パターンに応じた静電潜像が形成される。
【００３８】
形成された静電潜像は、現像器４Ｙ、４Ｍ、４Ｃ、４Ｂｋによってイエロー、マゼンダ、シアン、ブラックのトナー画像に可視像化され、転写ローラ５Ｙ、５Ｍ、５Ｃ、５Ｂｋによって中間転写ベルト８に重ね合わされて静電転写される。
【００３９】
この後、感光体ドラム１Ｙ、１Ｍ、１Ｃ、１Ｂｋの表面上（像担持体上）に残っている残留トナーがクリーナー６Ｙ、６Ｍ、６Ｃ、６Ｂｋによって除去され、次のカラー画像を形成するために感光体ドラム１の表面が再度１次帯電器２によって一様に帯電される。
【００４０】
一方、シート材Ｐは、給紙トレイ２１上に複数積載されており、給紙ローラ２２によっ
て搬送経路上に１枚ずつ順に給紙され、搬送ベルト７上に送り出される。
【００４１】
シート材Ｐが搬送ベルト７上を搬送されている間に、上記で説明したプロセスによって中間転写ベルト８面上に形成されたトナー画像がシート材Ｐ上に転写され、シート材Ｐ上にカラー画像が形成される。
【００４２】
その後、シート材Ｐは定着器２５に搬送され、定着器２５内においてカラー画像が熱定着されたのち、排紙ローラ（不図示）などによって搬送されて装置外に出力される。
【００４３】
（光学走査装置の概略構成）
図２を参照して、本実施の形態に係る光学走査装置５１の概略構成を説明する。図２は、本実施の形態に係る光学走査装置５１Ｂｋの概略構成を示すものであるが、光学走査装置５１Ｙ、５１Ｍ、５１Ｃ、５１Ｂｋは、いずれも同一の構成を有している。よって、ここでは光学走査装置５１Ｂｋの概略構成についてのみ説明を行い、他の光学走査装置５１の説明は省略する。
【００４４】
光学走査装置５１Ｂｋは、レーザ光源装置としての半導体レーザ装置６１と、半導体レーザ装置６１から射出されるレーザ光（光束）を平行光束にするコリメータレンズ６１ａが設けられている。
【００４５】
コリメータレンズ６１ａの光路下流側には、コリメータレンズ６１ａからの平行光束を線状に集光するシリンドリカルレンズ６２と、シリンドリカルレンズ６２によって集光された光束を偏向する偏向部材としての回転多面鏡６３とが設けられている。
【００４６】
回転多面鏡６３は回転可能に構成されており、これを回転させる手段としてスキャナモータ６３ｂが設けられている。
【００４７】
また、回転多面鏡６３の光路下流側には、結像部材としての結像レンズ６４ａ、６４ｂが設けられている。結像レンズ６４ａ、６４ｂは、回転多面鏡６３によって偏向されたレーザ光の光束を感光体ドラム１Ｂｋの表面上にスポットを形成するように集光して、スポットの走査速度が等速に保たれるように設計されている。
【００４８】
そしてこれらの光学部材（半導体レーザ装置６１、シリンドリカルレンズ６２、回転多面鏡６３、結像レンズ６４ａ、６４ｂ等）が光学箱６０内の所定の位置に収容されている。
【００４９】
かかる構成を有した光学走査装置によれば、回転多面鏡６３の回転によって、感光体ドラム１Ｂｋ上の主走査が行われ、また感光体ドラム１Ｂｋがその円筒の軸線まわりに回転駆動することによって、副走査を行うことができる。
【００５０】
つまり本実施の形態において、「主走査方向」とは図６のＸ方向に相当し、「副走査方向」とは図６のＹ方向に相当する。
【００５１】
（結像部材の位置調整について）
上記で説明した光学走査装置５１Ｙ、５１Ｍ、５１Ｃ、５１Ｂｋの各々で走査線の傾き、走査線の曲がりがあると、それが色ずれ等の画像不良を引き起こしてしまう。そこで本実施の形態に係る光学走査装置は、結像レンズ６４ｂの位置調整を行うことで、走査線を調整している。以下、結像レンズ６４ｂの位置調整について説明する。
【００５２】
図３〜図５は、図２に示す光学走査装置のＡの部分を拡大した図である。
【００５３】
本実施の形態では、結像レンズ６４ｂの位置を調整する調整器具として工具６５が用いられる。図３〜図５に示すように、工具６５は、副走査方向の両側から結像レンズ６４ｂの副走査方向の両端面に当接して位置調整を行う。
【００５４】
工具６５の先端には、レーザ光の光軸と略平行な線状の受け部６５ａが形成されており、その受け部６５ａは、結像レンズ６４ｂに形成された短冊状の突出部６６ａに当接する。具体的には、受け部６５ａの稜線と突出部６６ａとが交差することで、工具６５と突出部６６ａとが接触（理想的には点接触）するように構成されている。
【００５５】
突出部６６ａは結像レンズ６４ｂの副走査方向の両端面に形成されており、このように副走査方向の両側から工具６５がそれぞれの突出部６６ａに当接することで、結像レンズ６４ｂを挟み込んで保持することができる。
【００５６】
なお、ここでは結像レンズ６４ｂの両端面に形成されている突出部６６ａの形状を「短冊状」として説明したが、突出部６６ａの形状はこれに限られるものではない。例えば図４に示すように三角柱状の突出部６６ｂであってもよいし、図５に示すように半円柱状の突出部６６ｃであってもよい。
【００５７】
すなわち、図３〜図５に示すように突出部６６ａは細く形成されることが望ましい。これにより、精度良く結像レンズ６４ｂの位置調整を行うことができる。また、突出部６６ａは、結像レンズ６４ｂの副走査方向の端面内において、主走査方向にわたって所定長さ伸びている。
【００５８】
このように突出部６６ａを結像レンズ６４ｂの端面内においてある程度の長さに設けることで、工具６５の当接位置に誤差が生じても、工具６５と突出部６６ａとが確実に当接できるようにしている。
【００５９】
工具６５を結像レンズ６４ｂの突出部６６ａに当接させた後、工具６５を移動させ、レーザ光の光軸と直交する方向に結像レンズ６４ｂを移動させ、走査線の調整を行う。その後、走査線の調整前に予め塗布されている接着剤を、走査線の調整後に紫外線照射等で固めることで結像レンズ６４ｂを光学箱６０に取り付ける。このように非接触で結像レンズ６４ｂを光学箱に接着固定することができるので、結像レンズ６４ｂの位置がずれる可能性が低い。
【００６０】
上記で説明したように、従来では結像部材の位置調整を行う際に、結像部材に回転力が作用して結像部材の浮き上がり等が生じ、精度良く走査線の調整を行うことが出来なかった。これに対して本実施の形態に係る光学走査装置によれば、結像部材の位置調整、取り付けを行うにあたり、結像部材の浮き上がり等が生じる虞がない。以下、この点について詳しく説明を行う。
【００６１】
図７、図８を参照して、工具６５を用いた結像レンズ６４ｂの位置調整について詳しく説明する。図７、図８は、本実施の形態に係る光学走査装置の概略断面図であり、特に結像レンズ６４ｂと工具６５の位置関係を示すものである。なお、図中の一点鎖線は、レーザ光の光軸（射出方向）を示し、図中鉛直方向が副走査方向である。
【００６２】
光学箱６０の内側面には、結像レンズ６４ｂが突き当てられる座面６７ｂが設けられており、結像レンズ６４ｂが座面６７ｂに突き当てられることによって、結像レンズ６４ｂの光軸方向の位置決めがなされている。
【００６３】
この際、結像レンズ６４ｂは、光学箱６０内に設けられている支持部材によって座面６７ｂ側へＦ４の力で押圧されている。この力Ｆ４が大きいと、光学箱６０を歪めることになり、光学箱６０が歪められた状態で走査線を調整すると、例えば力Ｆ４の大きさが変化することで走査線に狂いが生じてしまう。
【００６４】
そのため、Ｆ４の力は結像レンズ６４ｂを座面６７ｂに確実に突き当てることが可能で、かつ光学箱６０を歪めない大きさに収めることが求められる。本発明者らの鋭意検討によれば、Ｆ４の大きさは２００ｇｆ〜３００ｇｆの範囲にあると望ましいことがわかっている。
【００６５】
結像レンズ６４ｂに形成されている短冊状の平面を有する突出部６６ａは、結像レンズ６４ｂの中心部よりも座面６７ｂに近い方であって、副走査方向上下でレーザ光の光軸方向における同じ位置に形成されている。そしてこれらの突出部６６ａに対して、工具６５からＦ３の力が作用する。
【００６６】
工具６５からの力Ｆ３が作用する位置は、上記で説明したように結像レンズ６４ｂを浮き上がらせないため、光軸方向で一致させる必要がある。つまり光軸方向の同じ位置において、副走査方向の両側からＦ３が作用することで、結像レンズ６４ｂが回転することなく、その位置調整、走査線の調整、及び取り付けを行うことができる。
【００６７】
本実施の形態では、結像レンズ６４ｂの設計・製造時に、結像レンズ６４ｂの副走査方向の両端面において、光軸方向（光射出方向）の同じ位置にそれぞれの突出部６６ａを形成するので、光軸方向の同じ位置からＦ３を受けることができる。
【００６８】
そして結像レンズ６４ｂを座面６７ｂに突き当てた状態で、工具６５を突出部６６ａに当接させ、突出部６６ａを介して、結像レンズ６４ｂを座面６７ｂに平行な面内で移動させ、結像レンズ６４ｂを精度良く取り付けることができる。
【００６９】
つまり、図８に示すように、工具６５が光軸方向にずれていても、結像レンズ６４ｂにかかる力Ｆ３の作用点は変わらない。よって、結像レンズ６４ｂを工具６５で挟み込むことで座面６７ｂから結像レンズ６４ｂを浮き上がらせることを防ぐことが出来るので、レーザ光の光軸に対する結像レンズ６４ｂの位置を調整可能である。
【００７０】
なお、不図示ではあるが工具６５は、一般的に上部分と下部分とが複数の部品で連結された構成であり、図８で示すような誤差が現れやすい。これに対して、結像レンズ６４ｂに形成された突出部６６ａは、結像レンズ６４ｂと一体に形成されるので、突出部６６ａを精度良く形成することが出来る。
【００７１】
また、本実施の形態では、突出部６６ａを結像レンズ６４ｂの中心部よりも座面６７ｂに近い方に形成している。突出部６６ａが座面６７ｂから離れた位置に形成されるほど、座面６７ｂと結像レンズ６４ｂとの摩擦により、結像レンズ６４ｂに回転力が生じやすくなるが、本実施の形態の構成によれば、回転力が生じる可能性が低い。
【００７２】
よって、結像レンズ６４ｂの位置調整、及び取り付けを行う場合も、結像レンズ６４ｂの姿勢を安定させた状態で行うことが出来、精度良く走査線を調整することができる。
【００７３】
以上、本実施の形態によれば、結像部材の位置調整、走査線の調整を精度良く行うことが可能な光学走査装置を提供することが可能になる。また、精度良く結像部材を取り付けることが可能な光学走査装置の結像部材の取り付け方法を提供することが可能になる。
【図面の簡単な説明】
【００７４】
【図１】第１の実施の形態における画像形成装置の概略構成図。
【図２】第１の実施の形態に係る光学走査装置の概略構成図。
【図３】第１の実施の形態に係る光学走査装置の概略拡大図。
【図４】第１の実施の形態に係る光学走査装置の概略拡大図。
【図５】第１の実施の形態に係る光学走査装置の概略拡大図。
【図６】第１の実施の形態に係る光学走査装置の概略構成図。
【図７】第１の実施の形態に係る光学走査装置の概略断面図。
【図８】第１の実施の形態に係る光学走査装置の概略断面図。
【図９】従来の走査線調整装置の概略構成図。
【図１０】従来の走査線調整装置の概略断面図。
【図１１】従来の走査線調整装置の概略断面図。
【図１２】従来の走査線調整装置の概略断面図。
【図１３】従来の走査線調整装置の概略断面図。
【符号の説明】
【００７５】
１    感光体ドラム（像担持体）
５１  光学走査装置
６０  光学箱
６１  半導体レーザ装置（レーザ光源装置）
６３  回転多面鏡（偏向部材）
６４ａ結像レンズ（結像部材）
６４ｂ結像レンズ（結像部材）
６５  工具（調整器具）
６６ａ突出部
６７ｂ座面
【図１】
2010156812.tif 000003
【図２】
2010156812.tif 000004
【図３】
2010156812.tif 000005
【図４】
2010156812.tif 000006
【図５】
2010156812.tif 000007
【図６】
2010156812.tif 000008
【図７】
2010156812.tif 000009
【図８】
2010156812.tif 000010
【図９】
2010156812.tif 000011
【図１０】
2010156812.tif 000012
【図１１】
2010156812.tif 000013
【図１２】
2010156812.tif 000014
【図１３】
2010156812.tif 000015